(57)【特許請求の範囲】
【請求項１】
ＩＣカードの端子と接触可能なＩＣ接点が備えられた可動台を有するＩＣ接触ユニットであって、
ユニット本体に上記可動台を案内するガイド部を設け、
上記可動台にはガイド部にガイドされるガイド部材を設けると供に、ＩＣカードの端部を係止する爪部材を形成し、
上記可動台の爪部材をカード搬送面より後退した通常時の待機位置とカード搬送面でＩＣカードの搬送力を受ける突出位置とに移動させるアクチュエータを前記可動台に接続し、
上記ガイド部は、上記爪部材が上記ＩＣカードの搬送力を受けて該ＩＣカードの搬送に伴い可動台が移動する際に、該可動台をカード搬入方向と水平に案内する水平部を有する構成とした
ＩＣ接触ユニット。
【請求項２】
前記可動台の爪部材を通常時の待機位置に移動させるアクチュエータを付勢手段で形成した
請求項１記載のＩＣ接触ユニット。
【請求項３】
上記請求項１または２記載のＩＣ接触ユニットを備えた
ＩＣカードリーダ。
【発明の詳細な説明】
【０００１】
【発明の属する技術分野】
この発明は、磁気ＩＣカードの端子に対して接触可能なＩＣ接点が備えられた可動台を有するようなＩＣ接触ユニットに関する。
【０００２】
【従来の技術】
一般に現金自動預金支払機などの自動取引き装置には磁気ＩＣカードリーダが内蔵されており、ＩＣカードの顧客データ(固定データ)は磁気ヘッドで読取り、取引きデータなどの可変データはＩＣ接触ユニットで読取り／書込み処理すべく構成されている。
【０００３】
そこで従来、上述のＩＣカードの端子に対してＩＣ接点を接触して、カードデータを処理するには、ＩＣカードをカード搬送面に沿って搬送し、このＩＣカードを所定位置において位置決め停止させ、ＩＣ接点を備えた可動台をソレノイド等のアクチュエータで可動させて、ＩＣカード側の端子と可動台側のＩＣ接点とを接触させるＩＣ接触ユニットが用いられていた。
【０００４】
【発明が解決しようとする課題】
しかし、上述のＩＣカードには反り、歪みがあり、仮にＩＣカードに反り、歪みがあっても良好な端子、接点間の接触が得られるように従来のＩＣ接触ユニットにおいては大型のソレノイドが用いられていた。このため装置の小型コンパクト化に支障をきたすのみならず、大型のソレノイドの駆動に要する消費電力が大となる問題点があった。
【０００５】
この発明は、ＩＣカードの搬送力を利用することで、ソレノイド等のアクチュエータの小型化を図り、装置全体の小型コンパクト化および消費電力の低減を図ることができるＩＣ接触ユニットの提供を目的とする。
この発明はまた、小型のアクチュエータで可動台を駆動することができるＩＣ接触ユニットをもったＩＣカードリーダの提供を目的とする。
【０００６】
【課題を解決するための手段】
この発明によるＩＣ接触ユニットは、ＩＣカードの端子と接触可能なＩＣ接点が備えられた可動台を有するＩＣ接触ユニットであって、ユニット本体に上記可動台を案内するガイド部を設け、上記可動台にはガイド部にガイドされるガイド部材を設けると供に、ＩＣカードの端部を係止する爪部材を形成し、上記可動台の爪部材をカード搬送面より後退した通常時の待機位置とカード搬送面でＩＣカードの搬送力を受ける突出位置とに移動させるアクチュエータを前記可動台に接続し、上記ガイド部は、上記爪部材が上記ＩＣカードの搬送力を受けて該ＩＣカードの搬送に伴い可動台が移動する際に、該可動台をカード搬入方向と水平に案内する水平部を有する構成としたものである。
【０００７】
上記構成のユニット本体に設けられるガイド部は、ガイド溝またはガイド孔により形成することができる。
上記構成の可動台側のガイド部材は、ガイド軸またはガイドピンにより形成することができる。
上記構成のアクチュエータは、ソレノイドまたはその他のアクチュエータで構成することができる。
【０００８】
上記構成によると、アクチュエータで可動台を介して爪部材を通常時の待機位置からカード搬送面でＩＣカードの搬送力を受ける突出位置に突出させ、カード搬送面を搬送されてくるＩＣカードの端部が爪部材に当接すると、上述の可動台はカード搬送力により移動する。
そして、可動台をカード搬入方向と水平に案内することにより、ＩＣ接点がＩＣカードに設けられた端子に対して正確に接触する。
【０００９】
このように、ＩＣカードの搬送力を有効利用して可動台を移動させるので、アクチュエータは爪部材をカード搬送面に突出させる程度の駆動力をもった小型のものでよく、このアクチュエータの小型化を図ることができ、装置全体の小型コンパクト化および消費電力の低減を達成することができる。
【００１０】
この発明の態様において、前記可動台の爪部材を通常時の待機位置に移動させるアクチュエータを付勢手段で形成しすることができる。
【００１１】
上記構成の付勢手段はコイルスプリング等の機械的付勢部材にて構成することができる。
上記構成によれば、通常時(ノーマル時)にあっては爪部材がカード搬送面から後退しているので、アクチュエータによる爪部材の突出タイミングを自由かつ任意に設定することができる。
【００１２】
この発明によるＩＣカードリーダは上記構成のＩＣ接触ユニットを備えているので、小型のアクチュエータで可動台を駆動することができ、またＩＣカードリーダ内におけるＩＣ接触ユニットの配置レイアウトの自由度が向上する。
【００１３】
【実施例】
この発明の一実施例を以下図面に基づいて詳述する。
図面はＩＣ接触ユニットを備えたＩＣカードリーダを示し、図１において、このＩＣカードリーダ１１はカードリーダ本体１２に形成されたカード搬送ライン１３の上下対向位置に搬送ローラ１４，１４、１５，１５、１６，１６を設けて、ＩＣカードＡをＩＣカードリーダ１１の出入口部１７からカード搬送ライン１３に沿って可逆搬送すべく構成している。
【００１４】
また上述の搬送ローラ１５，１６間には押圧ローラ１８と搬送ローラ１９とを上下に対設し、搬送ローラ１９側つまりカード搬送ライン１３の下側には磁気ヘッドユニット２０を設けている。
【００１５】
上述の磁気ヘッドユニット２０は磁気ヘッド２１を有し、この磁気ヘッド２１でＩＣカードＡの磁気記録媒体に対する顧客データなどの磁気情報の読取りを実行するように構成している。
【００１６】
さらに上述のカード搬送ライン１３の上部における押圧ローラ１８と搬送ローラ１６との間にはＩＣ接触ユニット２２を設け、このＩＣ接触ユニット２２でＩＣカードＡのＩＣチップに対する取引きデータなどの可変データを読取り／書込み処理すべく構成している。
【００１７】
なお、上述のＩＣカードＡはＩＣチップに接触された端子を有するが、周知構造であるため、その図示を省略している。
上述のＩＣ接触ユニット２２は図２、図３、図４に示す如く構成している。
【００１８】
すなわち、このＩＣ接触ユニット２２は図４に分解斜視図で示すように、ユニット本体としてのブラケット２３と、このブラケット２３に固定されるアクチュエータとしてのソレノイド２４と、このソレノイド２４のプランジャ２５に取付けたピン２６により回動操作されるＬ字状のアーム２７と、下面にＩＣカードＡの端子に対して接触可能なＩＣ接点２８(図２、図３参照)を備え、カード搬入方向先端側(図示の左端側)の下面に爪部材２９が一体的または一体形成された可動台としてのスライダ３０とを備えている。
【００１９】
ここで、上述のブラケット２３はスライダ配置空間３１を形成するための一対の側板３２，３３と、これら両側板３２，３３を互に連結する連結板３４と、この連結板３４の上部から斜め前方に向けて一体的に屈曲形成されたスプリングリテーナ３５と、一方の側板３３にスペーサ３６を介して一体に連設されたソレノイド取付け板３７とを有する。
【００２０】
また上述の取付け板３７にはカードリーダ本体１２に対してＩＣ接触ユニット２２を取付けるために用いる取付け孔３８を形成し、一方の側板３３の前端部にはアーム２７枢支用の支軸３９(図２、図３参照)を配置するための孔部４０を形成している。
【００２１】
さらに上述の各側板３２，３３の対向位置には同一形状のガイド孔４１，４２が穿設形成されている。
前側のガイド孔４１(図４の左側のガイド孔)は水平部４１ａ、スランド部４１ｂおよび垂直部４１ｃを有し、後側のガイド孔４２(図４の右側のガイド孔)は水平部４２ａおよびスラント部４２ｂを有するように形成されている。
【００２２】
上述のＬ字状のアーム２７は垂直部２７ａと水平部２７ｂとを略Ｌ字状に一体形成したスライダ３０押下用のアームで、垂直部２７ａの端部にはプランジャ２５側のピン２６に遊嵌される凹溝４３(凹部)が形成され、垂直部２７ａと水平部２７ｂとのコーナ部分には支軸２９に装着される孔部４４が形成されている。
【００２３】
一方、上述のスライダ３０には、そのベース部３０ａに複数の受け部３０ｂを介して軸４５，４６を平行に取付けている。これら前後の各軸４５，４６はブラケット２３側のガイド孔４１，４２と対応し、受け部３０ｂから外方へ突出された軸４５，４６の両端部分は上述のガイド孔４１，４２に移動可能に挿入されるガイド部材となる。
【００２４】
図４において分解斜視図で示した各要素２３〜４６は図２、図３に示すように組付けられてＩＣカードリーダ１１の所定部に配置される。なお、図２、図３は通常時(ノーマル時)の状態を示す。
【００２５】
図２、図３に示すように、スライダ３０側の前後の軸４５，４６は対応するガイド孔４１，４２に移動可能に挿入され、前側の軸４５の長手方向中央とスプリングリテーナ３５との間には、通常時において爪部材２９をカード搬送ライン１３から上方へ後退させる付勢手段としてのコイルスプリング４７(リターンスプリング)を張架している。
【００２６】
ここで、上述のソレノイド２４はそのプランジャ２５の吸引時にＬ字状のアーム２７を介してスライダ３０を下動させ、このスライダ３０の爪部材２９をカード搬送ライン１３に突出させるもので、図１に示すように爪部材２９にＩＣカードＡの端部が係止されると、このＩＣカードＡの搬送力を有効利用して、スライダ３０を移動させるように構成している。
【００２７】
但し、図２、図３に示す通常時においてはスライダ３０にコイルスプリング４７のバネ力が付勢されているので、前側の軸４５はガイド孔４１における垂直部４１ｃ上端に位置し、後側の軸４６はガイド孔４２におけるスラント部４２ｂ上端に位置して、スライダ３０の爪部材２９がカード搬送ライン１３から上方へ後退した状態を保持すると共に、Ｌ字状のアーム２７の水平部２７ｂ先端下面は軸４５側の受け部３０ｂ上面に当接している。
【００２８】
このように構成したＩＣカードリーダの作用を以下に詳述する。
図２、図３に示す通常時(待機状態)のＩＣ接触ユニット２２はカード搬送ライン１３に爪部材２９が降下しておらず、ＩＣカードＡの搬送に影響を与えない。
【００２９】
図１に示すＩＣカードリーダ１１の出入口部１７からＩＣカードＡを挿入すると、このＩＣカードＡは搬送ローラ１４，１４、１５，１５で挟持搬送され、磁気ヘッドユニット２０の配設部位においてＩＣカードＡの磁気記録媒体から磁気ヘッド２１が例えば顧客データなどの磁気情報の読取りを実行する。
【００３０】
ＩＣカードＡが搬入方向(図１の右方から左方に向く方向)へ搬送される所定のタイミングでソレノイド２４を駆動すると、ＩＣ接触ユニット２２は図２、図３に示す状態から図５、図６に示す状態となる。
【００３１】
すなわち、ソレノイド２４の駆動により、そのプランジャ２５が吸引されるので、Ｌ字状のアーム２７は支軸３９を支点としてスライダ押下方向(図示の反時計方向)へ回動する。
【００３２】
このため、コイルスプリング４７で付勢されているスライダ３０はその付勢力に抗しながらガイド孔４２のスラント部４２ｂ上端に位置する後側の軸４６を揺動支点として下方へ揺動し、爪部材２９がカード搬送ライン１３に突出する。この時、前側の軸４５は図５、図６に示すようにガイド孔４１の垂直部４１ｃ上端からスラント部４１ｂまで下動変位する。
【００３３】
ＩＣカードＡの端部が図５、図６に示すようにカード搬送ライン１３へ突出された爪部材２９に係止されると、このＩＣカードＡの搬送力によりスライダ３０はコイルスプリング４７の付勢力に抗してカード搬入方向へ移動して、図７、図８に示す状態となる。
【００３４】
つまりスライダ３０側の前側の軸４５はガイド孔４１のスラント部４１ｂから水平部４１ａへ移動し、後側の軸４６もガイド孔４２のスラント部４２ｂから水平部４２ａへ移動するので、このスライダ３０下面のＩＣ接点２８がＩＣカードＡに設けられた端子に対して正確に接触する。
【００３５】
図７、図８に示す状態すなわちＩＣ接点２８がＩＣカードＡの端子と接触した状態下において、ＩＣ接触ユニット２２は該ＩＣカードＡのＩＣチップに対する取引きデータなどの可変データの読取り／書込み処理を実行する。
【００３６】
処理修了後においてＩＣカードＡが出入口部１７方向へ搬出搬送(逆転搬送)されると、爪部材２９に対するＩＣカードＡの搬送力がなくなるので、スライダ３０とスプリンリグリテーナ３５との間に設けられたコイルスプリング４７(リターンスプリング)の付勢力によりスライダ３０は図７、図８に示す接点・端子間の接触状態から図２、図３に示す待機状態(元の状態)へと復動する。
【００３７】
この場合、前部のガイド孔４１は後部のガイド孔４２と異なり、スラント部４１ｂの後端から上方へ延びる垂直部４１ｃを有するので、前側の軸４５は該垂直部４１ｃの上端まで復動し、これによりスライダ３０の爪部材２９を図２、図３に示す如くカード搬送ライン１３から上方へ後退動させ、この爪部材２９をＩＣ接触ユニット２２内つまりブラケット２３内へ格納する。
【００３８】
このように上記実施例のＩＣ接触ユニット２２は、ＩＣカードＡの端子と接触可能なＩＣ接点２８が備えられた可動台(スライダ３０参照)を有するＩＣ接触ユニットであって、ユニット本体(ブラケット２３参照)に上記可動台(スライダ３０参照)を揺動および前後動可能に案内するガイド部(ガイド孔４１，４２参照)を設け、上記可動台(スライダ３０参照)にはガイド部(ガイド孔４１，４２参照)に挿入されるガイド部材(軸４５，４６参照)を設けると供に、ＩＣカードＡの端部を係止(または当接)する爪部材２９を形成し、アクチュエータ(ソレノイド２４参照)により上記爪部材２９をカード搬送面(カード搬送ライン１３参照)に突出し、ＩＣカードＡの搬送力により上記可動台(スライダ３０参照)を移動すべく構成したものである。
【００３９】
この構成によると、アクチュエータ(ソレノイド２４参照)で可動台(スライダ３０参照)を介して爪部材２９をカード搬送面(カード搬送ライン１３参照)に突出させ、カード搬送面(カード搬送ライン１３参照)を搬送されてくるＩＣカードＡの端部が爪部材２９に当接すると、上述の可動台(スライダ３０参照)はカード搬送力により移動する。
【００４０】
このように、ＩＣカードＡの搬送力を有効利用して可動台(スライダ３０参照)を移動させるので、アクチュエータ(ソレノイド２４参照)は爪部材２９をカード搬送面(カード搬送ライン１３参照)に突出させる程度の駆動力をもった小型のものでよく、このアクチュエータ(ソレノイド２４参照)の小型化を図ることができ、装置全体の小型コンパクト化および消費電力の低減を達成することができる。加えて、爪部材２９とガイド部(ガイド孔４１，４２参照)との関係で、ＩＣカードＡのＩＣ接点２８の位置決めが行なわれるので、高い位置決め精度を確保することができる。
【００４１】
また、上記爪部材２９を通常時(図２、図３参照)においてカード搬送面(カード搬送ライン１３参照)から後退させる付勢手段(コイルスプリング４７参照)を設け、上記アクチュエータ(ソレノイド２４参照)の駆動時に可動台(スライダ３０参照)を介して上記爪部材２９をカード搬送面(カード搬送ライン１３参照)に突出させるように構成したものである。
【００４２】
この構成によれば、通常時(ノーマル時)にあっては図２、図３で示したように爪部材２９がカード搬送面(カード搬送ライン１３参照)から上方へ後退しているので、アクチュエータ(ソレノイド２４参照)による爪部材２９の突出タイミングを自由かつ任意に設定することができる。
【００４３】
一方、上記実施例のＩＣカードリーダ１１は上記構成のＩＣ接触ユニット２２を備えているので、小型のアクチュエータ(ソレノイド２４参照)で可動台(スライダ３０参照)を駆動することができ、またＩＣカードリーダ１１内におけるＩＣ接触ユニット２２の配置レイアウトの自由度が向上するものである。
【００４４】
また、実施例で示したようにユニットとしてのブラケット２３に合計４つのガイド孔４１，４１，４２，４２を形成し、スライダ３０側の２本の軸４５，４６の両端部を上記ガイド孔４１，４２の対応部に移動可能に挿入すると、スライダ３０の安定した動きを確保することができる。
【００４５】
さらに実施例で示したようにブラケット２３に一体形成したスプリングリテーナ３５と軸４５との間に付勢手段(コイルスプリング４７参照)を張架すると、別途スプリング受け部材を設ける必要がないので、部品点数および組付け工数の削減を図ることができる。
【００４６】
この発明の構成と、上述の実施例との対応において、
この発明の可動台は、実施例のスライダ３０に対応し、
以下同様に、
ユニット本体は、ブラケット２３に対応し、
ユニット本体側のガイド部は、ブラケット２３側のガイド孔４１，４２に対応し、
可動台側のガイド部材は、スライダ３０側の軸４５，４６に対応し、
アクチュエータは、ソレノイド２４、コイルスプリング４７(リターンスプリング)に対応し、
カード搬送面は、カード搬送ライン１３に対応し、
付勢手段は、コイルスプリング４７(リターンスプリング)に対応するも、
この発明は、上述の実施例の構成のみに限定されるものではない。
【００４７】
【発明の効果】
この発明によれば、ＩＣカードの搬送力を有効利用するので、ソレノイド等のアクチュエータの小型化を図り、装置全体の小型コンパクト化および消費電力の低減を図ることができる効果がある。
【図面の簡単な説明】
【図１】  本発明のＩＣ接触ユニットを備えたＩＣカードリーダの内部側面図。
【図２】  通常時におけるＩＣ接触ユニットの側面図。
【図３】  通常時におけるＩＣ接触ユニットの断面図。
【図４】  ＩＣ接触ユニットの分解斜視図。
【図５】  爪部材突出時のＩＣ接触ユニットの側面図。
【図６】  爪部材突出時のＩＣ接触ユニットの断面図。
【図７】  接点接触時のＩＣ接触ユニットの側面図。
【図８】  接点接触時のＩＣ接触ユニットの断面図。
【符号の説明】
１３…カード搬送ライン(カード搬送面)
２２…ＩＣ接触ユニット
２３…ブラケット(ユニット本体)
２４…ソレノイド(アクチュエータ)
２８…ＩＣ接点
２９…爪部材
３０…スライダ(可動台)
４１，４２…ガイド孔(ガイド部)
４５，４６…軸(ガイド部材)
４７…コイルスプリング(付勢手段)
Ａ…ＩＣカード
【図１】
0003683489.tif 000002
【図２】
0003683489.tif 000003
【図３】
0003683489.tif 000004
【図４】
0003683489.tif 000005
【図５】
0003683489.tif 000006
【図６】
0003683489.tif 000007
【図７】
0003683489.tif 000008
【図８】
0003683489.tif 000009